(57)【要約】【課題】サムネイル表示される静止画像の抽出位置の編集を行うことなく、簡単な操作を入力するのみで、録画内容の把握を容易にする静止画像をサムネイル表示させる。【解決手段】ＤＶＤ１１に記録された動画映像信号の映像単位から静止画像を抽出するときの抽出位置を指示する抽出位置指示手段１７と、主処理手段１０を制御することによって、指示された抽出位置の静止画像を抽出するとともに、抽出した静止画像をサムネイル表示するサムネイル表示手段１８とを備えた構成において、抽出位置指示手段１７は、静止画像がサムネイル表示された状態においてサムネイル表示の変更を指示する表示変更指示が入力されたときには、指示する抽出位置を所定時間分だけ移動させる。【選択図】  図１
2005303714.tif 000002
【特許請求の範囲】
【請求項１】
ＤＶＤへの動画映像信号の記録を行うとともに動画映像信号が記録されたＤＶＤから動画映像信号を再生し、且つ、静止画像をサムネイル表示する映像信号を生成して出力する主処理手段と、
ＤＶＤに記録された動画映像信号の１タイトル分の動画映像信号を映像単位として、映像単位から静止画像を抽出するときの抽出位置を指示する抽出位置指示手段と、
主処理手段を制御することによって、抽出位置指示手段により指示された抽出位置の静止画像を抽出するとともに、抽出した静止画像を、動画映像信号の映像単位のそれぞれに対応して予め画面上に設定されたエリアにサムネイル表示するサムネイル表示手段とを備えたＤＶＤレコーダにおいて、
抽出位置指示手段は、サムネイル表示の開始となるときには、ＤＶＤに静止画像の抽出位置が記録されている場合、ＤＶＤに記録されている抽出位置を静止画像の抽出位置として指示し、ＤＶＤに静止画像の抽出位置が記録されていない場合、映像単位のそれぞれの先頭位置を静止画像の抽出位置として指示し、且つ、複数の静止画像がサムネイル表示された状態においてサムネイル表示の変更を指示する表示変更指示が入力されたときには、サムネイル表示される静止画像の全てについて、指示する抽出位置を所定時間分だけ移動させ、
サムネイル表示の終了となるときには、主処理手段を用いて、そのときにサムネイル表示されていた静止画像の抽出位置がＤＶＤに記録され、
前記所定時間分の長さがユーザによって変更可能になっていることを特徴とするＤＶＤレコーダ。
【請求項２】
動画映像信号が記録された記録媒体から動画映像信号の再生を行うことにより得られた映像信号を出力するとともに、静止画像をサムネイル表示する映像信号を生成して出力する主処理手段と、
記録媒体に記録された動画映像信号の映像単位から静止画像を抽出するときの抽出位置を指示する抽出位置指示手段と、
主処理手段を制御することによって、抽出位置指示手段により指示された抽出位置の静止画像を抽出するとともに、抽出した静止画像を、動画映像信号の映像単位のそれぞれに対応して予め画面上に設定されたエリアにサムネイル表示するサムネイル表示手段とを備えた動画再生装置において、
抽出位置指示手段は、静止画像がサムネイル表示された状態においてサムネイル表示の変更を指示する表示変更指示が入力されたときには、サムネイル表示手段に指示する抽出位置を所定時間分だけ移動させることを特徴とする動画再生装置。
【請求項３】
抽出位置指示手段は、複数の静止画像がサムネイル表示された状態において表示変更指示が入力されたときには、サムネイル表示される静止画像の全てについて、指示する抽出位置を所定時間分だけ移動させることを特徴とする請求項２記載の動画再生装置。
【請求項４】
抽出位置指示手段は、複数の静止画像がサムネイル表示された状態において表示変更指示が入力されたときには、サムネイル表示された複数の静止画像のうちの１つの静止画像について、サムネイル表示手段に指示する抽出位置を所定時間分だけ移動させるとともに、表示変更指示の入力が繰り返されるときには、表示変更指示が入力される毎に、指示する抽出位置の移動対象となる静止画像を、前記複数の静止画像のうちにおいて順次移動させていくことを特徴とする請求項２記載の動画再生装置。
【請求項５】
静止画像がサムネイル表示される複数のエリアのうちから１つのエリアを選択する画像選択手段を備え、
抽出位置指示手段は、表示変更指示が入力されたときには、画像選択手段によって選択されたエリアに表示される静止画像についての抽出位置を所定時間分だけ移動させることを特徴とする請求項２記載の動画再生装置。
【請求項６】
画像選択手段は、カーソルによって指示されたエリアを選択することを特徴とする請求項５記載の動画再生装置。
【請求項７】
静止画像がサムネイル表示されるエリアのそれぞれは、エリアのそれぞれに対応付けて表示される数値によって互いが区別され、
画像選択手段は、数字キーを用いて入力された数値に対応付けられたエリアを選択することを特徴とする請求項５記載の動画再生装置。
【請求項８】
サムネイル表示の終了となるときには、そのときにサムネイル表示されている静止画像の抽出位置が動画映像信号の記録媒体に記録され、
抽出位置指示手段は、サムネイル表示の開始となるとき、記録媒体に静止画像の抽出位置が記録されている場合には、記録媒体に記録されている抽出位置を静止画像の抽出位置として指示し、記録媒体に静止画像の抽出位置が記録されていない場合には、映像単位の先頭位置を静止画像の抽出位置として指示することを特徴とする請求項２から請求項７までのいずれかに記載の動画再生装置。
【発明の詳細な説明】
【技術分野】
【０００１】
本発明は、動画映像信号が記録された記録媒体から動画映像信号の再生を行うＤＶＤレコーダおよび動画再生装置に係り、より詳細には、記録媒体に記録された動画映像信号の映像単位から抽出された静止画像をサムネイル表示するＤＶＤレコーダおよび動画再生装置に関するものである。
【背景技術】
【０００２】
ＤＶＤを記録媒体として、動画映像信号の記録再生を可能にする装置、すなわち、ＤＶＤレコーダにおいては、再生しようとするＤＶＤの録画内容を容易に知ることができるようにするため、静止画像をサムネイル表示する機能が設けられている。このため、サムネイル表示の指示を入力するためのキーであるタイトルキーを操作すると、録画されているタイトルのそれぞれから１つの静止画像が抽出されるとともに、抽出された静止画像がサムネイル表示されるようになっている（第１の従来技術とする）。
【０００３】
また、以下に示す技術が提案されている（第２の従来技術とする）。すなわち、この技術においては、商用放送を受信して記録するときに、コマーシャルの開始時刻と終了時刻とを検出している。そして、コマーシャルが終了した後、１秒等の所定時間が経過したときの画像、あるいは、コマーシャルに移行する直前の画像を、そのときに録画したタイトルを代表するサムネイル画像としている。その結果、サムネイル画像は、記録されたタイトルの内容を、より良く示すことになる（例えば、特許文献１参照）。
【０００４】
また、以下に示す技術が提案されている（第３の従来技術とする）。すなわち、この技術においては、シーンの変わり目を検出し、シーンが変わったときの画像をサムネイル画像として抽出している。また、このようにして抽出したサムネイル画像のうち、そのときの再生位置の前方側１５秒に属するサムネイル画像と、後方側１５秒に属するサムネイル画像とを、画面の横方向に伸びる帯状の範囲に表示している。従って、抽出されたサムネイル画像は、帯状の範囲を、右側から左側に流れるように表示される。
【０００５】
しかし、上記した表示方法においては、シーンが短い状態が続くと、サムネイル画像が重なって表示され、サムネイル画像が見づらくなる。また、１つのシーンが長過ぎる場合には、サムネイル画像の抽出の時間的間隔が長くなり過ぎて、サムネイル画像が表示されない事態が生じる。このため、１つのサムネイル画像を抽出して後、５秒以内に抽出することになるサムネイル画像については、抽出を停止するようにしている。また、１５秒が経過したときにも、シーンの変わり目とならないときには、１５秒が経過したときの画像をサムネイル画像として抽出するようにしている（例えば、特許文献２参照）。
【０００６】
また、以下に示す技術が提案されている（第４の従来技術とする）。すなわち、この技術においては、サムネイル画像がアニメーション表示される。また、番組の記録時に、タイトルまたはシーンの内容を特徴付ける特徴点（人の顔やテロップ等が表示された画像データの特徴点）が検出され、特徴点の位置情報が記録される。また、シーンチェンジ点が検出されて、その位置情報が記録される。そして、サムネイル画像の表示となるときには、特徴点とシーンチェンジ点との位置情報に基づき、各シーンから、互いに５フィールドづづ離れた３つの画面を取り出し、取り出した３つの画面を、各シーンを示すサムネイル画像として、アニメーション表示している。なお、このとき、互いに５フィールドづづ離れた３つの画面がシーンチェンジ点をまたぐことのないように、サムネイル画像を選択するようにしている。このため、例えば、２つ目の画面と３つ目の画面との間にシーンチェンジ点がくる場合では、サムネイル画像を２つの画面でもって構成するようにしている。また、代表画面のすぐ後方にシーンチェンジ点がくる場合では、代表画面から５フィールド間隔でもって前方向に３つの画面を選択するようにしている（例えば、特許文献３参照）。
【特許文献１】特開２００３−２７４３６１号公報
【特許文献２】特開２００１−２１８１６４号公報（第００７１−００８８段落）
【特許文献３】特開２００１−２９８７１１号公報（第００６２−００７３段落）
【発明の開示】
【発明が解決しようとする課題】
【０００７】
しかしながら、第１の従来技術を用いた場合には、以下に示す問題が生じていた。すなわち、サムネイル表示を行う場合、初期設定では、録画が開始された時点における画像を、サムネイル表示のための静止画像として抽出するようになっている。このため、静止画像として抽出される画像が、コマーシャルの画像であったり、シーンの変わり目であったりすることが多くなる。その結果、サムネイル表示された静止画像から録画内容を思い出すことが困難となり、サムネイル表示が意味をなさなくなるという事態を招く。一方、このような事態を回避するため、サムネイル表示に用いる静止画像の抽出位置を、ユーザの好みの画像が記録された記録位置に指定することができる編集機能を備えた機種も提供されているが、この機能を使用するには複雑な操作手順を覚える必要がある。このため、簡単な操作によって、録画内容をよりよく示すサムネイル表示を可能にする装置が求められている。
【０００８】
第２の従来技術は、コマーシャルが終了した後、１秒等の時間が経過したときの画像、あるいは、コマーシャルの直前の画像をサムネイル画像として用いる技術となっている。このため、コマーシャルの録画位置を検出する手段が必要になり、装置の複雑化を招く。また、コマーシャルの録画位置の検出精度を高めることがむつかしいため、多くの場合において、コマーシャルの終了後、１秒等が経過したときの画像、あるいは、コマーシャルの直前の画像が、実際に録画された番組において、コマーシャルの終了後、１秒等が経過した画像、あるいは、コマーシャルの直前の画像とはならない。このため、サムネイル画像が、録画内容をよく示す画像とはならない事態が多々発生する。
【０００９】
また、第３の従来技術は、抽出したサムネイル画像のうち、そのときの再生位置の前方側１５秒に属するサムネイル画像と、後方側１５秒に属するサムネイル画像とを、画面の横方向に伸びる帯状の範囲に表示することを前提とした技術となっている。このため、抽出された静止画像を、予め設定された位置にサムネイル表示する構成の場合には、前提となる構成が異なるので、適用することが困難となっている。
【００１０】
また、第４の従来技術は、サムネイル画像をアニメーション表示することを前提とした技術となっている。このため、抽出された静止画像を、予め設定された位置にサムネイル表示する構成の場合には、前提となる構成が異なるので、適用することが困難となっている。
【００１１】
本発明は、上記の問題点を解決するため創案されたものであり、その目的は、サムネイル表示される静止画像の抽出位置の編集を行うことなく、簡単な操作を入力するのみで、録画された内容の把握を容易にする静止画像をサムネイル表示させることのでき、且つ、録画された内容の把握を容易にする静止画像をサムネイル表示させるときの操作の入力回数を少なくすることのでき、且つ、サムネイル表示を終了したＤＶＤを用いて、再度サムネイル表示を行うときに、最初にサムネイル表示される静止画像を、録画された内容の把握を容易にする静止画像とすることのできるＤＶＤレコーダを提供することにある。１
また、本発明の目的は、静止画像がサムネイル表示された状態において、サムネイル表示の変更の指示が入力されたときには、静止画像の抽出位置を所定時間分だけ移動させることにより、サムネイル表示される静止画像の抽出位置の編集を行うことなく、簡単な操作を入力するのみで、録画された内容の把握を容易にする静止画像をサムネイル表示させることのできる動画再生装置を提供することにある。
【００１２】
また、上記目的に加え、複数の静止画像がサムネイル表示された状態において、サムネイル表示の変更の指示が入力されたときには、サムネイル表示される全ての静止画像の抽出位置を所定時間分だけ移動させることにより、録画された内容の把握を容易にする静止画像をサムネイル表示させるときの操作の入力回数を少なくすることのできる動画再生装置を提供することにある。
【００１３】
また、上記目的に加え、複数の静止画像がサムネイル表示された状態において、サムネイル表示の変更の指示が入力されたときには、サムネイル表示の変更の指示が入力される毎に、静止画像の１つづつを対象として、その抽出位置を所定時間分だけ移動させることにより、サムネイル表示された複数の静止画像のうち、表示が変更された静止画像の確認を容易にすることのできる動画再生装置を提供することにある。
【００１４】
また、上記目的に加え、抽出位置を変更する静止画像をユーザによって選択可能とすることにより、録画内容の把握が困難なタイトルに対応する静止画像のみを変更してサムネイル表示させることのできる動画再生装置を提供することにある。
【００１５】
また、上記目的に加え、サムネイル表示の終了となるときには、そのときにサムネイル表示されている静止画像の抽出位置を記録媒体に記録することにより、サムネイル表示を終了した記録媒体を用いて、再度サムネイル表示を行うときに、最初にサムネイル表示される静止画像を、録画された内容の把握を容易にする静止画像とすることのできる動画再生装置を提供することにある。
【課題を解決するための手段】
【００１６】
上記の課題を解決するため、本発明に係るＤＶＤレコーダは、ＤＶＤへの動画映像信号の記録を行うとともに動画映像信号が記録されたＤＶＤから動画映像信号を再生して得られた映像信号を出力し、且つ、静止画像をサムネイル表示する映像信号を生成して出力する主処理手段と、ＤＶＤに記録された動画映像信号の１タイトル分の動画映像信号を映像単位として、映像単位から静止画像を抽出するときの抽出位置を指示する抽出位置指示手段と、主処理手段を制御することによって、抽出位置指示手段により指示された抽出位置の静止画像を抽出するとともに、抽出した静止画像を、動画映像信号の映像単位のそれぞれに対応して予め画面上に設定されたエリアにサムネイル表示するサムネイル表示手段とを備えたＤＶＤレコーダに適用しており、抽出位置指示手段は、サムネイル表示の開始となるときには、ＤＶＤに静止画像の抽出位置が記録されている場合、ＤＶＤに記録されている抽出位置を静止画像の抽出位置として指示し、ＤＶＤに静止画像の抽出位置が記録されていない場合、映像単位のそれぞれの先頭位置を静止画像の抽出位置として指示し、且つ、複数の静止画像がサムネイル表示された状態においてサムネイル表示の変更を指示する表示変更指示が入力されたときには、サムネイル表示される静止画像の全てについて、指示する抽出位置を所定時間分だけ移動させ、サムネイル表示の終了となるときには、主処理手段を用いて、そのときにサムネイル表示されていた静止画像の抽出位置がＤＶＤに記録され、前記所定時間分の長さがユーザによって変更可能になっている。
【００１７】
すなわち、サムネイル表示手段に指示する抽出位置を移動させると、サムネイル表示される静止画像が変更される。このため、そのときにサムネイル表示された静止画像を見るのみでは、記録されたタイトルの内容の把握がむつかしい場合、表示変更指示を入力するのみで、サムネイル表示される静止画像が変更される。また、１回の表示変更指示の入力でもって、サムネイル表示された全ての静止画像を変更することができる。また、記録された動画映像信号の内容の把握を容易にする静止画像をサムネイル表示させた後では、そのＤＶＤを用いてサムネイル表示を行う場合、記録された動画映像信号の内容の把握を容易にする静止画像がサムネイル表示される。また、静止画像の変更のされ方が、それほど有効ではないと感じられるときには、所定時間分の長さを変更することでもって、静止画像の変更のされ方を変えることができる。
【００１８】
また本発明に係る動画再生装置は、動画映像信号が記録された記録媒体から動画映像信号の再生を行うことにより得られた映像信号を出力するとともに、静止画像をサムネイル表示する映像信号を生成して出力する主処理手段と、記録媒体に記録された動画映像信号の映像単位から静止画像を抽出するときの抽出位置を指示する抽出位置指示手段と、主処理手段を制御することによって、抽出位置指示手段により指示された抽出位置の静止画像を抽出するとともに、抽出した静止画像を、動画映像信号の映像単位のそれぞれに対応して予め設定された画面上の位置にサムネイル表示するサムネイル表示手段とを備えた動画再生装置に適用しており、抽出位置指示手段は、静止画像がサムネイル表示された状態においてサムネイル表示の変更を指示する表示変更指示が入力されたときには、サムネイル表示手段に指示する抽出位置を所定時間分だけ移動させるようになっている。
【００１９】
すなわち、サムネイル表示手段に指示する抽出位置を移動させると、サムネイル表示される静止画像が変更される。このため、そのときにサムネイル表示された静止画像を見ていても、記録されたタイトルの内容の把握がむつかしい場合、表示変更指示を入力することでもって、サムネイル表示される静止画像を変更させることができる。
【００２０】
また、上記構成に加え、抽出位置指示手段は、複数の静止画像がサムネイル表示された状態において表示変更指示が入力されたときには、サムネイル表示される静止画像の全てについて、指示する抽出位置を所定時間分だけ移動させるようになっている。すなわち、１回の表示変更指示の入力でもって、サムネイル表示された全ての静止画像を変更することができる。
【００２１】
また、上記構成に加え、抽出位置指示手段は、複数の静止画像がサムネイル表示された状態において表示変更指示が入力されたときには、サムネイル表示された複数の静止画像のうちの１つの静止画像について、サムネイル表示手段に指示する抽出位置を所定時間分だけ移動させるとともに、表示変更指示の入力が繰り返されるときには、表示変更指示が入力される毎に、指示する抽出位置の移動対象となる静止画像を、前記複数の静止画像のうちにおいて順次移っていくようになっている。すなわち、サムネイル表示された静止画像が、表示変更指示を入力する毎に、１つづつ変更されていく。
【００２２】
また、上記構成に加え、静止画像がサムネイル表示される複数のエリアのうちから１つのエリアを選択する画像選択手段を備え、抽出位置指示手段は、表示変更指示が入力されたときには、画像選択手段によって選択されたエリアに表示される静止画像についての抽出位置を所定時間分だけ移動させるようになっている。すなわち、変更したい静止画像を選択した後、表示変更指示を入力すると、選択した静止画像のみが変更される。
【００２３】
また、上記構成に加え、画像選択手段は、カーソルによって指示されたエリアを選択するようになっている。
【００２４】
また、上記構成に加え、静止画像がサムネイル表示されるエリアのそれぞれは、エリアのそれぞれに対応付けて表示された数値によって互いが区別され、画像選択手段は、数字キーを用いて入力される数値に対応付けられたエリアを選択するようになっている。
【００２５】
また、上記構成に加え、サムネイル表示の終了となるときには、そのときにサムネイル表示されている静止画像の抽出位置が動画映像信号の記録媒体に記録され、抽出位置指示手段は、サムネイル表示の開始となるとき、記録媒体に静止画像の抽出位置が記録されている場合には、記録媒体に記録されている抽出位置を静止画像の抽出位置として指示し、記録媒体に静止画像の抽出位置が記録されていない場合には、映像単位の先頭位置を静止画像の抽出位置として指示するようになっている。
【００２６】
すなわち、記録された動画映像信号の内容の把握を容易にする静止画像をサムネイル表示させた後では、その記録媒体を用いてサムネイル表示を行う場合、記録された動画映像信号の内容の把握を容易にする静止画像が直ちに表示される。
【発明の効果】
【００２７】
本発明によれば、そのときにサムネイル表示された静止画像を見ていても、記録されたタイトルの内容の把握がむつかしい場合、表示変更指示を入力することでもって、サムネイル表示される静止画像を変更させることができる。また、１回の表示変更指示の入力でもって、サムネイル表示された全ての静止画像を変更することができる。また、記録された動画映像信号の内容の把握を容易にする静止画像を表示させた後では、そのＤＶＤを用いてサムネイル表示を行う場合、記録された動画映像信号の内容の把握を容易にする静止画像が直ちに表示される。また、静止画像の変更のされ方が、それほど有効ではないと感じられるときには、所定時間分の長さを変更することでもって、静止画像の変更のされ方を変えることができる。このため、サムネイル表示される静止画像の抽出位置の編集を行うことなく、簡単な操作を入力するのみで、録画された内容の把握を容易にする静止画像をサムネイル表示させることができ、且つ、録画された内容の把握を容易にする静止画像をサムネイル表示させるときの操作の入力回数を少なくすることができ、且つ、サムネイル表示を終了したＤＶＤを用いて、再度サムネイル表示を行うとき、最初にサムネイル表示される静止画像を、録画内容の把握を容易にする静止画像とすることができ、且つ、静止画像の変更のされ方を変えることができる。
【００２８】
また本発明によれば、そのときにサムネイル表示された静止画像を見ていても、記録されたタイトルの内容の把握がむつかしい場合、表示変更指示を入力することでもって、サムネイル表示される静止画像を変更させることができる。このため、サムネイル表示される静止画像の抽出位置の編集を行うことなく、簡単な操作を入力するのみで、録画された内容の把握を容易にする静止画像をサムネイル表示させることができる。
【００２９】
また、さらに、１回の表示変更指示の入力でもって、サムネイル表示された全ての静止画像を変更することができるので、録画された内容の把握を容易にする静止画像をサムネイル表示させるときの操作の入力回数を少なくすることができる。
【００３０】
また、さらに、サムネイル表示された静止画像は、表示変更指示を入力する毎に、１つづつ変更されていくようになっている。このため、サムネイル表示された複数の静止画像のうち、変更された静止画像の確認を容易にすることができる。
【００３１】
また、さらに、変更したい静止画像を選択した後、表示変更指示を入力すると、選択した静止画像のみが変更されるので、録画内容の把握が困難なタイトルに対応する静止画像のみを変更してサムネイル表示させることができる。
【００３２】
また、さらに、記録された内容の把握を容易にする静止画像を表示させた後では、その記録媒体を用いてサムネイル表示を行う場合、記録された動画映像信号の内容の把握を容易にする静止画像が直ちに表示されるので、最初にサムネイル表示される静止画像を、録画された内容の把握を容易にする静止画像とすることができる。
【発明を実施するための最良の形態】
【００３３】
以下、本発明の実施の形態について図を参照して説明する。
【実施例１】
【００３４】
図１は、本発明に係る動画再生装置の第１の実施形態の電気的構成を示すブロック線図であり、具体的には、ＤＶＤレコーダを示している。
【００３５】
図において、チューナ部１は、マイクロコンピュータ７から指示されたチャンネルの商用放送を受信するとともに、受信して得られたアナログ映像信号（アナログ音声信号を含む）をＡ／Ｄ変換部２に出力する。Ａ／Ｄ変換部２は、チューナ部１から出力されるアナログ映像信号をデジタル映像信号（以下では動画映像信号と称する）に変換し、信号処理部３に出力する。
【００３６】
ディスクドライブ部５は、信号処理部３より出力されるデジタル信号（動画映像信号や音声信号等を含む信号であり、以下では動画映像信号と称する）に対して符号化等の処理を行うことにより得られた信号をＤＶＤ（請求項記載の記録媒体であり、具体的には、ＤＶＤ−ＲＷやＤＶＤ＋ＲＷ等）１１に記録する。また、ＤＶＤ１１に記録されたデジタル信号（動画映像信号や音声信号等を含む信号であり、以下では、動画映像信号と称する）を読み出し、復調やエラー訂正等の処理を行った後、信号処理部３に出力する。
【００３７】
Ｄ／Ａ変換部４は、信号処理部３より出力されるデジタル映像信号（デジタル音声信号を含む信号であり、以下では動画映像信号と称する）を、アナログ映像信号（アナログ音声信号を含む）に変換し、外部に設けられたテレビ受像機６に出力する。
【００３８】
信号処理部３は、エンコード部１４を用いることにより、Ａ／Ｄ変換部２から出力された映像信号を、ＭＰＥＧ２規格に従って圧縮処理し、ディスクドライブ部５に出力する。また、デコード部１５を用いることにより、ディスクドライブ部５より出力される動画映像信号を、ＭＰＥＧ２規格に従って伸長処理する。そして、伸長処理により得られた動画映像信号（デジタル映像信号）をＤ／Ａ変換部４に出力する。
【００３９】
また、信号処理部３は、マイクロコンピュータ７により指示された静止画像を、ディスクドライブ部５より出力される動画映像信号から抽出する。また、オンスクリーンディスプレイ部（以下では、ＯＳＤ部と称する）１６を用いて、抽出した静止画像をサムネイル表示するための映像信号を生成し、Ｄ／Ａ変換部４に出力する（請求項記載の主処理手段１０は、ディスクドライブ部５と信号処理部３とにより構成されている）。
【００４０】
入力回路部８は、図示されない装置本体の前面パネルに設けられた電源キー等のキースイッチや、リモートコントローラ９から送信される赤外線信号を受光する受光ユニット等を備えており、ユーザからの指示（例えば、サムネイル表示される静止画像の変更を指示する操作、等）が入力される。また、入力されたユーザからの指示をマイクロコンピュータ７に出力する。
【００４１】
マイクロコンピュータ７は、動画再生装置としての主要動作を制御する。すなわち、リモートコントローラ９等に入力されたユーザの指示に従って、チューナ部１が受信するチャンネルを制御する。また、ディスクドライブ部５と信号処理部３とを制御することによって、チューナ部１が受信した番組（動画映像信号）をＤＶＤ１１に記録させる。また、ＤＶＤ１１に記録された動画映像信号を再生させてテレビ受像機６に出力させる。
【００４２】
抽出位置指示手段１７（マイクロコンピュータ７の機能の一部でもって構成される）は、タイトルのそれぞれの記録内容を示す静止画像のサムネイル表示となるときには、各タイトルに対応する動画映像信号（動画映像信号の映像単位）から静止画像を抽出するときの抽出位置をサムネイル表示手段１８に指示する。なお、前回のサムネイル表示の終了時における静止画像のそれぞれの抽出位置がＤＶＤ１１に記録されている場合には、ＤＶＤ１１に記録されている抽出位置がサムネイル表示手段１８に指示される。また、静止画像の抽出位置がＤＶＤ１１に記録されていない場合には、各タイトルに対応する動画映像信号の先頭位置が、抽出位置として、サムネイル表示手段１８に指示される。
【００４３】
サムネイル表示手段１８（マイクロコンピュータ７の機能の一部でもって構成される）は、主処理手段１０を制御することによって、抽出位置指示手段１７により指示された抽出位置の静止画像を抽出する。そして、抽出した静止画像を、動画映像信号の映像単位に対応して予め設定された画面上のエリアにサムネイル表示する。
【００４４】
すなわち、図３と図４とを参照して説明すると、例えば、先頭に記録されたタイトルの動画映像信号Ｔ１から抽出された静止画像Ｐ１１は、テレビ受像機６の画面の左側の上半部のエリアＡ１に表示され、２番目に記録されたタイトルの動画映像信号Ｔ２から抽出された静止画像Ｐ２１は、静止画像Ｐ１１の右側のエリアＡ２に表示される。また、３番目に記録されたタイトルの動画映像信号Ｔ３から抽出された静止画像Ｐ３１は、画面６の左の下半部のエリアＡ３に表示される。
【００４５】
また、抽出位置指示手段１７の説明に戻ると、抽出位置指示手段１７は、静止画像がサムネイル表示されている状態において、サムネイル表示の変更を指示する表示変更指示がリモートコントローラ９に入力されたときには、サムネイル表示される複数の静止画像の全てについて、指示する抽出位置を、それまでの抽出位置から、所定時間分（図３においてはｎによって示されている）だけ後方に移動させる。
【００４６】
ここで補足的な説明を行うと、所定時間分ｎのデフォールト値は３０秒に設定されている（所定時間分ｎは、後述するように、ユーザが変更することができるようになっている）。また、表示変更指示の入力には、スキップアップキーを用いるようになっている。このため、各タイトルの記録内容を示す静止画像がサムネイル表示された状態においてスキップアップキーを操作すると、スキップアップキーを操作する毎に、サムネイル表示される静止画像の抽出位置が、３０秒づつ、後方に移動するようになっている。
【００４７】
また、マイクロコンピュータ７は、サムネイル表示の終了となるときには、ディスクドライブ部５と信号処理部３とを制御することによって、サムネイル表示の終了時に表示されていた静止画像の抽出位置をＤＶＤ１１に書き込む。
【００４８】
図２は、静止画像をサムネイル表示するときの実施形態の主要動作を示すフローチャートである。必要に応じて同図を参照しつつ、実施形態の動作を説明する。
【００４９】
実施形態の動作説明に先立ち、タイトルのそれぞれに対応する動画映像信号と、抽出される静止画像との関係について、図３を参照しつつ説明する。
【００５０】
図３におけるＴ１は、１番目に記録された１タイトル分の動画映像信号を示しており、Ｔ２は、２番目に記録された１タイトル分の動画映像信号を示している。また、Ｔ３は、３番目に記録された１タイトル分の動画映像信号を示している。従って、それぞれのタイトル分の動画映像信号の先頭位置が抽出位置として指示される場合、動画映像信号Ｔ１からは、Ｔ１の先頭ｔ１１に位置する静止画像Ｐ１１が抽出される。また、動画映像信号Ｔ２からは、Ｔ２の先頭ｔ２１に位置する静止画像Ｐ２１が抽出され、動画映像信号Ｔ３からは、Ｔ３の先頭ｔ３１に位置する静止画像Ｐ３１が抽出される。なお、以下における説明では、ＤＶＤ１１に記録されているタイトル数は４つであるとする。
【００５１】
実施形態の動作説明に戻る。ＤＶＤ１１がディスクドライブ部５にセットされた状態において、リモートコントローラ９のタイトルキー（図示を省略）が操作されると（ステップＳ１）、マイクロコンピュータ７は、ＤＶＤ１１の所定位置に、静止画像の抽出位置を示す時間情報が記録されているかどうかを調べる（ステップＳ２）。いま、時間情報が記録されていないとすると、抽出位置指示手段１７は、各タイトル分の動画映像信号のそれぞれの先頭位置ｔ１１，ｔ２１、ｔ３１，・を、静止画像の抽出位置として指示する（ステップＳ３，Ｓ４）。
【００５２】
サムネイル表示手段１８は、指示された抽出位置ｔ１１，ｔ２１、ｔ３１，・のそれぞれから静止画像Ｐ１１，Ｐ２１，Ｐ３１，Ｐ４１を抽出し（ステップＳ５）、抽出した静止画像をサムネイル表示する（ステップＳ６）。その結果、テレビ受像機６には、図４（Ａ）に示す静止画像Ｐ１１，Ｐ２１，Ｐ３１，Ｐ４１がサムネイル表示される。この後、動作は、再生キーが操作されたかどうかと（ステップＳ７）、スキップアップキーが操作されたかどうか（ステップＳ８）とを調べるループ動作に移行する。
【００５３】
ユーザは、図４（Ａ）により示すサムネイル表示を参照するのみで、各タイトルの録画内容を把握できたときには、再生したいタイトルを選択した後、再生キーを操作する。再生キーが操作されると、動作は、ステップＳ７からステップＳ１２に移行する。このため、マイクロコンピュータ７は、ディスクドライブ部５と信号処理部３とを制御することによって、静止画像Ｐ１１，Ｐ２１，Ｐ３１，Ｐ４１のそれぞれの抽出位置を示す時間情報（このときでは、各タイトルの先頭位置ｔ１１，ｔ２１、ｔ３１，・を示す時間情報）をＤＶＤ１１に書き込む（このときに書き込まれた時間情報は、次回の静止画像のサムネイル表示時に、静止画像の抽出位置を示す情報として参照される）。
【００５４】
一方、図４（Ａ）に示す静止画像Ｐ１１，Ｐ２１，Ｐ３１，Ｐ４１からでは、各タイトルの録画内容を把握することがむつかしい場合、スキップアップキーを操作する。スキップアップキーが操作されると、サムネイル表示の変更であるとして、動作が、ステップＳ８からステップＳ９に移行する。このため、抽出位置指示手段１７は、全ての静止画像についての抽出位置を、それまでの抽出位置ｔ１１，ｔ２１、ｔ３１，・から後方に３０秒だけ移動させる（抽出位置が、ｔ１２，ｔ２２、ｔ３２，・となる）。そして後、動作はステップＳ５に移行して、静止画像の抽出が行われる。また、抽出された静止画像のサムネイル表示が行われる（ステップＳ６）。
【００５５】
ステップＳ６のサムネイル表示においては、タイトルＴ１からは静止画像Ｐ１２が抽出される。また、タイトルＴ２からは静止画像Ｐ２２が抽出され、タイトルＴ３からは静止画像Ｐ３２が抽出される。このため、ステップＳ６においてサムネイル表示される画像は、図４（Ｂ）に示す静止画像Ｐ１２，Ｐ２２，Ｐ３２，Ｐ４２となる。すなわち、スキップアップキーを１回操作するのみで、４つの静止画像の全てが変更される。
【００５６】
図４（Ｂ）に示したサムネイル表示を参照することによって、各タイトルの録画内容を把握できたときには、再生したいタイトルを選択して再生キーを操作する。再生キーを操作すると、動作は、ステップＳ８からステップＳ１２に移行し、先頭から３０秒だけ後方に移動した抽出位置ｔ１２，ｔ２２、ｔ３２，・を示す時間情報がＤＶＤ１１に記録される。そして後、再生が開始される。
【００５７】
なお、このときにセットされていたＤＶＤ１１を用いて、次にサムネイル表示を行うときには、ステップＳ３の判定においては、抽出位置が記録されていると判定される。従って、動作は、ステップＳ３からステップＳ１１に移行する。従って、このときでは、サムネイル表示のための静止画像は、各タイトルの先頭から３０秒だけ後方に移動した位置ｔ１２，ｔ２２，ｔ３２，・から抽出される。その結果、ユーザは、このときには、最初にサムネイル表示される静止画像を参照するのみで、各タイトルの録画内容を把握できるようになり、再生させたいタイトルを容易に選択することができる。
【００５８】
また、なお、図４（Ｂ）に示すサムネイル表示を行ったときにも、各タイトルの録画内容が分かりにくい場合には、再度スキップアップキーを操作する。再度スキップアップキーが操作されると、静止画像Ｐ１２，Ｐ２２，Ｐ３２，Ｐ４２のそれぞれの抽出位置ｔ１２，ｔ２２、ｔ３２，・より３０秒だけ後方の位置ｔ１３，ｔ２３、ｔ３３，・から静止画像が抽出され、サムネイル表示される。以後、スキップアップキーを操作する毎に、サムネイル表示のための静止画像の抽出位置が、３０秒づつ後方に移動する。
【実施例２】
【００５９】
以下に第２の実施形態について説明する。なお、第２の実施形態は、ブロック線図として示すときには、図１に示す構成と同一となり、抽出位置指示手段１７の構成のみが異なるに過ぎない。このため、構成に関しては、抽出位置指示手段１７についてのみ説明を行う。
【００６０】
抽出位置指示手段１７は、タイトルのそれぞれの記録内容を示す静止画像のサムネイル表示となるときには、各タイトルに対応する動画映像信号から静止画像を抽出するときの抽出位置をサムネイル表示手段１８に指示する。
【００６１】
また、複数の静止画像がサムネイル表示されている状態において、スキップアップキーが操作されたときには、サムネイル表示された複数の静止画像のうちの１つの静止画像についての抽出位置を移動させる。そして、さらに、スキップアップキーが操作されるときには、スキップアップキーが操作される毎に、抽出位置の移動対象となる静止画像を、複数の静止画像のうちにおいて順次移動させていく。
【００６２】
すなわち、図５（Ａ）に示したように、４つの静止画像Ｐ１１，Ｐ２１，Ｐ３１，Ｐ４１がサムネイル表示された状態において、スキップアップキーが操作されると、エリアＡ１に表示される静止画像の抽出位置のみが後方に３０秒だけ移動される（抽出位置がｔ１１からｔ１２に移動する）。このため、エリアＡ１には、図５（Ｂ）に示したように、抽出位置ｔ１２に記録されていた静止画像Ｐ１２が表示される。そして後、再びスキップアップキーを操作したときには、エリアＡ２に表示される静止画像が変更され（図５（Ｃ）参照）、さらにスキップアップキーを操作したときには、エリアＡ３に表示される静止画像が変更される（図５（Ｄ）参照）。
【００６３】
上記構成からなる第２の実施形態の主要動作は、フローチャートとして示すときには、図２に示すフローチャートとなる。そして、図２のフローチャートでもって動作を示す場合、第１の実施形態との差異はステップＳ９のみとなる。
【００６４】
すなわち、動作がステップＳ１〜Ｓ６と移行したため、テレビ受像機６には、図５（Ａ）に示すサムネイル画像が表示されているとする。ユーザは、このサムネイル表示からは、各タイトルの記録内容の把握がむつかしいことから、スキップアップキーを操作したとする。スキップアップキーが操作されると、動作は、ステップＳ７，Ｓ８からステップＳ９に移行する。
【００６５】
ステップＳ９となったときには、抽出位置指示手段１７は、先頭タイトル分の動画映像信号Ｔ１における抽出位置を、それまでの位置ｔ１１から、その３０秒だけ後方の位置ｔ１２に移動させ、その他の抽出位置ｔ２１、ｔ３１，・については、移動させない。その結果、ステップＳ９から、ステップＳ５，Ｓ６と移行したときには、図５（Ｂ）に示したように、エリアＡ１に表示される静止画像が、静止画像Ｐ１１から静止画像Ｐ１２に変更される（エリアＡ２〜Ａ４に表示される静止画像は変更されない）。
【００６６】
図５（Ｂ）に示す静止画像がサムネイル表示された状態において、スキップアップキーが操作されると、抽出位置指示手段１７は、動画映像信号Ｔ２における抽出位置を、それまでの位置ｔ２１から、その３０秒だけ後方の位置ｔ２２に移動させ、その他の抽出位置ｔ１２、ｔ３１，・については、移動させない。その結果、ステップＳ９から、ステップＳ５，Ｓ６と移行したときには、図５（Ｃ）に示したように、エリアＡ２に表示される静止画像が、位置ｔ２１より抽出された静止画像Ｐ２１から、位置ｔ２２より抽出された静止画像Ｐ２２に変更される。
【００６７】
図５（Ｃ）に示す静止画像がサムネイル表示された状態において、スキップアップキーが操作されると、図５（Ｄ）に示したように、エリアＡ３に表示される静止画像が、静止画像Ｐ３１から静止画像Ｐ３２に変更される。以後、スキップアップキーが操作される毎に、静止画像の変更されるエリアが、エリアＡ４、エリアＡ１（抽出位置ｔ１３から抽出された静止画像が表示される）、エリアＡ２（抽出位置ｔ２３から抽出された静止画像が表示される）、・・・と移動する。
【実施例３】
【００６８】
図６は、第３の実施形態の電気的構成を示すブロック線図である。なお、第３の実施形態は、ブロック線図として示すときには、図１に示す構成に、さらに画像選択手段を追加した構成となる。そして、第１の実施形態と比するときには、画像選択手段を除くと、抽出位置指示手段の構成のみが異なるに過ぎない。このため、図１に示す構成と同一とみなすことのできるブロックについては、図１における符号を付与し、説明を省略する。
【００６９】
画像選択手段１９は、図８（Ａ）に示したように、静止画像Ｐ１１，Ｐ２１，Ｐ３１，Ｐ４１がサムネイル表示されているときには、カーソル（破線Ｃ１により示す）を表示することによって、静止画像がサムネイル表示されるエリアＡ１〜Ａ４のうち、どのエリアが選択されているのかを示すようになっている。
【００７０】
抽出位置指示手段２０は、タイトルのそれぞれの記録内容を示す静止画像のサムネイル表示となるときには、各タイトルに対応する動画映像信号Ｔ１〜Ｔ３，・から静止画像を抽出するときの抽出位置をサムネイル表示手段１８に指示する。
【００７１】
また、静止画像がサムネイル表示されている状態において、スキップアップキーが操作されたときには、サムネイル表示された複数の静止画像Ｐ１１，Ｐ２１，Ｐ３１，Ｐ４１のうち、画像選択手段１９によって選択されたエリア（例えば、エリアＡ２）に表示するための静止画像の抽出位置を、それまでの抽出位置ｔ２１から、３０秒だけ後方の抽出位置ｔ２２に移動させる。その結果、図８（Ｂ）に示したように、エリアＡ２に表示される静止画像は、静止画像Ｐ２１から静止画像Ｐ２２に変更される。
【００７２】
すなわち、抽出位置指示手段２０は、静止画像がサムネイル表示された状態において、スキップアップキーが操作されると、そのときにカーソルＣ１が位置しているエリアに表示される静止画像の抽出位置を、それまでの抽出位置から３０秒だけ後方の位置に移動させる。さらにスキップアップキーが操作されたときには、静止画像の抽出位置を、さらに３０秒だけ後方の位置に移動させる。
【００７３】
図７は、第３の実施形態の主要動作を示すフローチャートである。なお、図２に示す動作と同一とみなせるステップには、図２における符号と同じ符号を付与し、詳細な説明を省略する。
【００７４】
動作がステップＳ１〜Ｓ６と移行したため、テレビ受像機６には、図８（Ａ）に示すサムネイル画像が表示されているとする。ユーザは、このサムネイル表示からは、エリアＡ２に対応するタイトルの記録内容の把握がむつかしいとして、４つの方向キー（図示を省略）を用いて、カーソルＣ１をエリアＡ２に移動させた後（ステップＳ２１，Ｓ２２）、スキップアップキーを操作したとする。このとき、動作は、ステップＳ８からステップＳ９に移行する。
【００７５】
そして、ステップＳ９となったときには、抽出位置指示手段２０は、エリアＡ２に対応する動画映像信号Ｔ２における抽出位置のみを、それまでの位置ｔ２１から３０秒だけ後方の位置ｔ２２に移動させる。その結果、ステップＳ９から、ステップＳ５，Ｓ６と移行したときには、図８（Ｂ）に示したように、エリアＡ２に表示される静止画像が、静止画像Ｐ２１から静止画像Ｐ２２に変更される。そして、図８（Ｂ）に示す静止画像がサムネイル表示された状態において、スキップアップキーを操作すると、このときでは、位置ｔ２３から抽出された静止画像が、エリアＡ２に表示される（その他のエリアＡ１，Ａ３，Ａ４の静止画像は変更されない）。
【００７６】
以後では、スキップアップキーが操作される毎に、動画映像信号Ｔ２における静止画像の抽出位置が、３０秒づつ、後方に移動される。また、カーソルＣ１をその他のエリア（例えば、エリアＡ３）に移動させてスキップアップキーを操作したときでは、スキップアップキーが操作される毎に、該当する動画映像信号（例えばＴ３）における静止画像の抽出位置が、３０秒づつ、後方に移動される。
【実施例４】
【００７７】
以下に、第４の実施形態について説明する。なお、第４の実施形態は、ブロック線図として示すときには、図６に示す構成と同一となり、画像選択手段の構成のみが異なるに過ぎない。このため、画像選択手段についてのみ、構成を説明する。
【００７８】
各タイトルの動画映像信号の記録内容を示す静止画像がサムネイル表示されるときには、静止画像が表示されるエリアＡ１〜Ａ４のそれぞれに対応付けて、数字が表示されるようになっている。このため、画像選択手段１９は、リモートコントローラ９の数字キー（図示を省略）によって数値が入力されたときには、入力された数値に一致する数字が表示されたエリアを選択し、選択結果を抽出位置指示手段２０に知らせる。抽出位置指示手段２０は、スキップアップキーが操作されたときには、画像選択手段１９から知らされたエリアに表示される静止画像の抽出位置を、それまでの抽出位置から、３０秒だけ後方の抽出位置に移動させる。
【００７９】
図９は、第４の実施形態の主要動作を示すフローチャートである。なお、図２に示す動作と同一とみなせるステップには、図２における符号と同じ符号を付与し、詳細な説明を省略する。
【００８０】
動作がステップＳ１〜Ｓ６と移行したため、テレビ受像機６には、図１０（Ａ）に示すサムネイル画像が表示されているとする。ユーザは、このサムネイル表示からは、エリアＡ３に対応するタイトルの記録内容の把握がむつかしいとして、エリアＡ３を指示する数字の『３』キーを操作したとする。このときでは、動作は、ステップＳ３１、Ｓ３２と移行するので、画像選択手段１９は、エリアＡ３が選択されたことを抽出位置指示手段２０に知らせる。そして後、スキップアップキーを操作すると、動作は、ステップＳ８からステップＳ９に移行する。
【００８１】
ステップＳ９となったときには、抽出位置指示手段２０は、画像選択手段１９から知らされたエリアＡ３に対応する動画映像信号Ｔ３についてのみ、指示する抽出位置を、それまでの位置ｔ３１から３０秒だけ後方の位置ｔ３２に移動させる。その結果、ステップＳ９から、ステップＳ５，Ｓ６と移行したときには、図１０（Ｂ）に示したように、エリアＡ３に表示される静止画像が、静止画像Ｐ３１から静止画像Ｐ３２に変更される。そして、図１０（Ｂ）に示す静止画像がサムネイル表示された状態において、スキップアップキーを操作すると、このときでは、位置ｔ３３から抽出された静止画像が、エリアＡ３に表示される（その他のエリアＡ１，Ａ３，Ａ４の静止画像は変更されない）。
【００８２】
以後では、スキップアップキーが操作される毎に、動画映像信号Ｔ３における静止画像の抽出位置が、３０秒づつ、後方に移動される。また、その他の数字キーを操作して、異なるエリア（例えば、エリアＡ２）を指示した後、スキップアップキーを操作したときでは、スキップアップキーが操作される毎に、該当するエリアに表示するための静止画像の抽出位置が、３０秒づつ、後方に移動される。                                            
【００８３】
なお、第１の〜第４の実施形態において、スキップアップキーを操作したときに、抽出位置が後方に移動される移動量については、初期設定において、ユーザにより、変更可能になっている（この変更のための手順については、説明を省略する）。なお、変更量のステップは、コマーシャルの基準長さが１５秒であるので、コマーシャルの基準長さに等しい１５秒となっている。このため、ユーザは、好みに応じて、抽出位置の移動量を、３０秒から、４５秒、あるいは、６０秒、等の長さに変更することができる。
【００８４】
なお、本発明は上記実施形態に限定されず、静止画像が表示されるエリアについては、４つとした場合について説明したが、その他の数として、例えば、６つ、あるいは、８つ等とする場合にも、同様に適用することができる。
【００８５】
また、動画映像信号の記録媒体については、ＤＶＤとした場合について説明したが、フラッシュメモリ、等のメモリ素子を記録媒体とする構成、あるいは、ハードディスクドライブを記録媒体とする構成の場合にも、同様に適用することができる。
【図面の簡単な説明】
【００８６】
【図１】本発明に係る動画再生装置の第１および第２の実施形態の電気的構成を示すブロック線図である。
【図２】第１および第２の実施形態の主要動作を示すフローチャートである。
【図３】静止画像の抽出位置を示す説明図である。
【図４】第１の実施形態においてサムネイル表示される静止画像を示す説明図である。
【図５】第２の実施形態においてサムネイル表示される静止画像を示す説明図である。
【図６】本発明に係る動画再生装置の第３および第４の実施形態の電気的構成を示すブロック線図である。
【図７】第３の実施形態の主要動作を示すフローチャートである。
【図８】第３の実施形態においてサムネイル表示される静止画像を示す説明図である。
【図９】第４の実施形態の主要動作を示すフローチャートである。
【図１０】第４の実施形態においてサムネイル表示される静止画像を示す説明図である。
【符号の説明】
【００８７】
１０  主処理手段
１１  ＤＶＤ（記録媒体）
１７，２０  抽出位置指示手段
１８  サムネイル表示手段
１９  画像選択手段
Ａ１〜Ａ４  静止画像の表示エリア
Ｐ１１，Ｐ１２，Ｐ２１，Ｐ２２，Ｐ３１，Ｐ３２，Ｐ４１，Ｐ４２  静止画像
Ｔ１〜Ｔ３  １タイトル分の動画映像信号（映像単位）
ｔ１１〜ｔ１３，ｔ２１〜ｔ２３，ｔ３１〜ｔ３３  抽出位置
【図１】
2005303714.tif 000003
【図２】
2005303714.tif 000004
【図３】
2005303714.tif 000005
【図４】
2005303714.tif 000006
【図５】
2005303714.tif 000007
【図６】
2005303714.tif 000008
【図７】
2005303714.tif 000009
【図８】
2005303714.tif 000010
【図９】
2005303714.tif 000011
【図１０】
2005303714.tif 000012